(57)【要約】【課題】火災検出装置の製造性を高めると共に、部品の損傷を防止することが可能となる、火災検出装置を提供すること。【解決手段】火災検出装置１は、監視領域の火災を検出するための火災検出装置であって、検出対象の検出を行う検出空間と、検出空間を収容する内カバーであって、検出対象を含む気体を当該内カバーに流入出させることが可能な内カバーと、内カバーを収容する外カバー２０であって、気体を当該外カバー２０に流入出させることが可能な外カバー２０と、内カバーと外カバー２０とを相互に取り付ける際に、内カバーと外カバー２０との相対的な位置を所定位置に合わせるための位置合わせ部１４０と、を備えた。【選択図】図３
2020102036.tif 000002
【特許請求の範囲】
【請求項１】
監視領域の火災を検出するための火災検出装置であって、
検出対象の検出を行う検出空間と、
前記検出空間を収容する内側収容手段であって、前記検出対象を含む気体を当該内側収容手段に流入出させることが可能な内側収容手段と、
前記内側収容手段を収容する外側収容手段であって、前記気体を当該外側収容手段に流入出させることが可能な外側収容手段と、
前記内側収容手段と前記外側収容手段とを相互に取り付ける際に、前記内側収容手段と前記外側収容手段との相対的な位置を所定位置に合わせるための位置合わせ手段と、
を備えた火災検出装置。
【請求項２】
前記位置合わせ手段は、
前記内側収容手段又は前記外側収容手段のいずれか一方に設けられた突起部と、
前記内側収容手段又は前記外側収容手段のいずれか他方に設けられた嵌込部であって、前記突起部を嵌め込み可能な嵌込部と、を備える、
請求項１に記載の火災検出装置。
【請求項３】
前記突起部又は前記嵌込部を、前記内側収容手段と前記外側収容手段との相互間の隙間を仕切るリブの少なくとも一部として構成した、
請求項２に記載の火災検出装置。
【請求項４】
前記突起部又は前記嵌込部を、前記内側収容手段又は前記外側収容手段と一体形成した、
請求項２又は３に記載の火災検出装置。
【請求項５】
前記位置合わせ手段を、前記内側収容手段の内部に設けられた表示手段から照射された光を前記外側収容手段の外部に向けて導光可能となるように構成した、
請求項１から４のいずれか一項に記載の火災検出装置。
【発明の詳細な説明】
【技術分野】
【０００１】
本発明は、火災検出装置に関する。
【背景技術】
【０００２】
従来、監視領域の火災を検出する煙感知器を対象として、外乱光を遮蔽しながら煙感知器の内部に煙を流入させるための技術が提案されている。この技術においては、検出空間と、検出空間の外周を覆うラビリンスと、ラビリンスを収容する中空状の内カバーであって煙を含む気体を流入させるためのスリットを備える内カバーと、内カバーを収容する中空状の外カバーであって、内カバーのスリットを外部に露出させるための開口を有する外カバーとを備えた煙感知器が構成されている（例えば、特許文献１参照）。また、内カバーと外カバーとは、それぞれ別体に形成されている。
【先行技術文献】
【特許文献】
【０００３】
【特許文献１】特開２０１２−０４８７６６号公報
【発明の概要】
【発明が解決しようとする課題】
【０００４】
ところで、近年では、煙感知器の組立作業の効率化を図りたいというニーズが高まっている。しかしながら、上記従来の煙感知器においては、上述したように、内カバーと外カバーとがそれぞれ別体に形成されているので、煙感知器を組み立てる際に内カバーと外カバーとの相対的な位置を所定位置に合わせる作業（いわゆる、位置合わせ作業）を行う必要があることから、例えば当該作業に手間を要することで煙感知器の組立作業の効率化を図ることが難しくなる可能性があった。また、上記位置合わせ作業を行う際に、内カバー（又は外カバー）と他の部品とが接触することで、当該他の部品の損傷が生じる可能性があった。したがって、煙感知器の如き火災検出装置の製造性の観点からは、改善の余地があった。
【０００５】
本発明は上記問題に鑑みてなされたもので、火災検出装置の製造性を高めると共に、部品の損傷を防止することが可能となる、火災検出装置を提供することを目的とする。
【課題を解決するための手段】
【０００６】
上述した課題を解決し、目的を達成するために、請求項１に記載の火災検出装置は、監視領域の火災を検出するための火災検出装置であって、検出対象の検出を行う検出空間と、前記検出空間を収容する内側収容手段であって、前記検出対象を含む気体を当該内側収容手段に流入出させることが可能な内側収容手段と、前記内側収容手段を収容する外側収容手段であって、前記気体を当該外側収容手段に流入出させることが可能な外側収容手段と、前記内側収容手段と前記外側収容手段とを相互に取り付ける際に、前記内側収容手段と前記外側収容手段との相対的な位置を所定位置に合わせるための位置合わせ手段と、を備えた。
【０００７】
請求項２に記載の火災検出装置は、請求項１に記載の火災検出装置において、前記位置合わせ手段は、前記内側収容手段又は前記外側収容手段のいずれか一方に設けられた突起部と、前記内側収容手段又は前記外側収容手段のいずれか他方に設けられた嵌込部であって、前記突起部を嵌め込み可能な嵌込部と、を備える。
【０００８】
請求項３に記載の火災検出装置は、請求項２に記載の火災検出装置において、前記突起部又は前記嵌込部を、前記内側収容手段と前記外側収容手段との相互間の隙間を仕切るリブの少なくとも一部として構成した。
【０００９】
請求項４に記載の火災検出装置は、請求項２又は３に記載の火災検出装置において、前記突起部又は前記嵌込部を、前記内側収容手段又は前記外側収容手段と一体形成した。
【００１０】
請求項５に記載の火災検出装置は、請求項１から４のいずれか一項に記載の火災検出装置において、前記位置合わせ手段を、前記内側収容手段の内部に設けられた表示手段から照射された光を前記外側収容手段の外部に向けて導光可能となるように構成した。
【発明の効果】
【００１１】
請求項１に記載の火災検出装置によれば、内側収容手段と外側収容手段とを相互に取り付ける際に、内側収容手段と外側収容手段との相対的な位置を所定位置に合わせるための位置合わせ手段を備えたので、位置合わせ手段を設けない場合に比べて、火災検出装置を組み立てる際に内側収容手段と外側収容手段との位置合わせを容易且つ迅速に行うことができ、火災検出装置の製造性を高めることができる。また、火災検出装置を組み立てる際に内側収容手段又は外側収容手段と他の部品（例えば、熱感知部等）との接触を回避しやすくなるため、当該他の部品の損傷を防止できる。
【００１２】
請求項２に記載の火災検出装置によれば、位置合わせ手段が、内側収容手段又は外側収容手段のいずれか一方に設けられた突起部と、内側収容手段又は外側収容手段のいずれか他方に設けられた嵌込部であって、突起部を嵌め込み可能な嵌込部と、を備えるので、位置合わせ手段の構成を簡易にでき、位置合わせ手段を形成しやすくなる。
【００１３】
請求項３に記載の火災検出装置によれば、突起部又は嵌込部を、内側収容手段と外側収容手段との相互間の隙間を仕切るリブの少なくとも一部として構成したので、突起部又は嵌込部とリブとをそれぞれ設ける場合に比べて、内側収容手段又は外側収容手段の構成が複雑化することを回避でき、火災検出装置の製造性を高めやすくなると共に、火災検出装置のコンパクト化を図りやすくなる。
【００１４】
請求項４に記載の火災検出装置によれば、突起部又は嵌込部を、内側収容手段又は外側収容手段と一体形成したので、突起部及び嵌込部の各々を内側収容手段及び外側収容手段とは別体に形成した場合に比べて、突起部又は嵌込部を取り付ける手間を低減でき、位置合わせ手段を形成しやすくなる。
【００１５】
請求項５に記載の火災検出装置によれば、位置合わせ手段を、内側収容手段の内部に設けられた表示手段から照射された光を外側収容手段の外部に向けて導光可能となるように構成したので、位置合わせ手段をライトガイドとして機能させることができ、位置合わせ手段とライトガイドとをそれぞれ設ける場合に比べて、内側収容手段又は外側収容手段の構成が複雑化することを回避できる。
【図面の簡単な説明】
【００１６】
【図１】実施の形態に係る火災検出装置の取付状況を示す側面図である。
【図２】取付ベースを取り外した状態の火災検出装置を示す底面図である。
【図３】図２の火災検出装置の側面図である。
【図４】図２のＡ−Ａ矢視断面図である。
【図５】外カバーを示す斜視図である。
【図６】内カバーを示す図であり、（ａ）は底面図、（ｂ）は側面図である。
【発明を実施するための形態】
【００１７】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１８】
〔Ｉ〕実施の形態の基本的概念
まず、実施の形態の基本的概念について説明する。実施の形態は、概略的に、監視領域の火災を検出するための火災検出装置に関するものである。
【００１９】
ここで、「火災検出装置」は、実施の形態では、検出対象の検出結果に基づいて監視領域の火災を検出して報知する装置であり、例えば、光学的、電気学的、及び熱学的な火災感知器や火災警報器等を含む概念である。また、「監視領域」とは、監視の対象となる領域であって、例えば、建物の内部の領域、建物の外部の領域等を含む概念である。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、「熱学的且つ光学的な火災感知器」であり、「監視領域」が「オフィスビルの内部の領域」である場合について説明する。
【００２０】
〔ＩＩ〕実施の形態の具体的内容
次に、実施の形態の具体的内容について説明する。
【００２１】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す底面図である。図３は、図２の火災検出装置の側面図である。図４は、図２のＡ−Ａ矢視断面図である。以下の説明では、図１のＸ方向を火災検出装置の左右方向（−Ｘ方向を火災検出装置の左方向、＋Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。
【００２２】
火災検出装置１は、監視領域の熱を検出すると共に、気体に含まれている検出対象（例えば、煙等）を検出して報知する装置である。この火災検出装置１は、建物の屋内において建物の天井部の下面にある設置面２に設置されており、図１から図４に示すように、取付ベース１０、外カバー２０、内カバー３０、流入空間４０、防虫網５０、検出空間６０、検出部カバー７０、検出部本体８０、下カバー９０、及び基板１００を備えている。
【００２３】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００２４】
（構成−外カバー）
外カバー２０は、内カバー３０、流入空間４０、防虫網５０、検出空間６０、検出部カバー７０、検出部本体８０、下カバー９０、及び基板１００を収容する外側収容手段であって、検出対象を含む気体を当該外側収容手段に流入出させることが可能な外側収容手段である。この外カバー２０は、例えば遮光性を有する樹脂材にて形成されており、図１から図４に示すように、外カバー本体２１、及び天面部２２を備えている。
【００２５】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００２６】
また、天面部２２は、流入空間４０を区画するための区画手段である。この天面部２２は、例えば略円形状の板状体にて形成されており、図１から図４に示すように、外カバー本体２１よりも下方において略水平に設けられている。なお、外カバー２０の構成の詳細については、後述する。
【００２７】
（構成−流入空間）
図１に戻り、流入空間４０は、外カバー２０に流入した気体を内カバー３０における気体の流入部分（後述する第１開口部３０ａ）に誘導するための空間であり、図１、図４に示すように、外カバー２０の内部空間のうち、天面部２２と内カバー３０との相互間の隙間が流入空間４０として形成されている。
【００２８】
（構成−内カバー）
内カバー３０は、検出空間６０、検出部カバー７０、検出部本体８０、及び基板１００を収容する内側収容手段であって、検出対象を含む気体を当該内側収容手段に流入出させることが可能な内側収容手段であると共に、流入空間４０を区画するための区画手段である。この内カバー３０は、例えば、上面が開放された略中空円柱状体であり、遮光性を有する樹脂材にて形成されており、図４に示すように、外カバー２０の内部において、内カバー３０の下側側部が流入空間４０を介して外カバー２０の天面部２２と対向するように設けられている。また、図４に示すように、内カバー３０の下側側部には、第１開口部３０ａが形成されている。第１開口部３０ａは、流入空間４０に流入された気体を検出空間６０に送るための開口部であり、図４に示すように、内カバー３０の下側側部のうち略中央部及びその近傍部分に設けられている。
【００２９】
（構成−検出空間）
検出空間６０は、検出対象を検出するための空間であり、図４に示すように、内カバー３０の内部空間のうち、検出部カバー７０及び検出部本体８０によって囲繞される空間が検出空間６０として形成されている。
【００３０】
（構成−検出部カバー）
検出部カバー７０は、検出空間６０を区画するための区画手段であると共に、検出空間６０に外乱光が入射することを抑制するための入射抑制手段である。この検出部カバー７０は、上面が開放された略中空円柱状体であり、遮光性を有する樹脂材にて形成されている。また、この検出部カバー７０は、図４に示すように、内カバー３０の内部において、検出部カバー７０の下側側部が第１開口部３０ａ及び流入空間４０を介して外カバー２０の天面部２２と対向するように配置され、検出部本体８０に対して固定されている。また、図４に示すように、検出部カバー７０の下側側部には、第２開口部７０ａが形成されている。第２開口部７０ａは、第１開口部３０ａから送られた気体を検出空間６０に流入するための開口部であり、図４に示すように、検出部カバー７０の下側側部のうち第１開口部３０ａと対応する部分に設けられている。
【００３１】
（構成−防虫網）
防虫網５０は、火災検出装置１の外部にいる虫が検出空間６０に侵入するのを防止するための網である。この防虫網５０は、メッシュ状且つ円形状の網を用いて構成されており、図４に示すように検出部カバー７０に取り付けられている。
【００３２】
（構成−検出部本体）
検出部本体８０は、検出部カバー７０を取り付けるための取付手段であり、検出空間６０に外乱光が入射することを抑制するための入射抑制手段である。この検出部本体８０は、例えば遮光性を有する樹脂材にて形成された肉厚な板状体（一例として、略円形状の板状体）であり、検出部カバー７０よりも基板１００側（図４では、上方側）に設けられており、具体的には、図４に示すように、検出部カバー７０の上面を覆うように配置されており、基板１００に対して固定具等によって固定されている。
【００３３】
（構成−下カバー）
下カバー９０は、内カバー３０の設置面２側の側面をカバーするカバー手段である。この下カバー９０は、下面が開放された略中空円柱状であり、例えば遮光性を有する樹脂材にて形成されている。また、この下カバー９０は、図４に示すように、内カバー３０を上方から覆うように設けられ、外カバー２０に対して嵌合構造等によって固定されていると共に、且つ取付ベース１０に対して取付部材９１に形成された第１取付孔（図示省略）を介して固定具等によって固定されている。
【００３４】
（構成−基板）
基板１００は、各種の電気回路（図示省略）が実装される実装手段である。この基板１００は、例えば公知の平板状の回路基板等を用いて構成されており、図４に示すように、下カバー９０の内部において、下カバー９０の上端部及び下端部と間隔を隔てて略水平に配置され、下カバー９０に対して下カバー９０に形成された取付孔（図示省略）及び取付部材９１に形成された第２取付孔（図示省略）を介して固定具によって固定されている。
【００３５】
また、基板１００には、従来の火災検出装置１に用いられる公知の部品（電気部品）が実装されていることに加えて、第１発光部（図示省略）、第２発光部（図示省略）、受光部（図示省略）、熱感知部１０１、表示部（図示省略）、通信部（図示省略）、電源部（図示省略）、制御部（図示省略）、及び記憶部（図示省略）が実装されている。
【００３６】
（構成−基板−第１発光部、第２発光部、受光部）
このうち、第１発光部は、検出空間６０に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を検出空間６０に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００３７】
（構成−基板−熱感知部、表示部、通信部、電源部）
また、熱感知部１０１は、火災を検出するための熱感知手段である。この熱感知部１０１は、例えば公知の熱感知素子（一例として、サーミスタ等）を用いて構成されており、図２、図４に示すように、内カバー３０、検出部カバー７０、及び検出部本体８０の各々に設けられた後述する挿通孔３１及び後述する外カバー２０の挿通孔１２０を介して熱感知部１０１の一部が火災検出装置１の外部に露出するように配置されている。また、表示部は、各種情報（例えば、火災の検出の有無を示す情報）を表示するための表示手段であり、例えば公知の表示手段（ＬＥＤ等）を用いて構成されている。なお、この表示部の投光方法については任意であるが、例えば、内カバー３０、検出部カバー７０、及び検出部本体８０の各々に設けられた後述する挿通孔３２及び後述する外カバー２０の挿通孔１２０に挿通されたライトガイド（図示省略）を介して表示部からの光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００３８】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００３９】
（構成−外カバーの構成の詳細）
図２に戻り、次に、外カバー２０の構成の詳細について説明する。図５は、外カバー２０を示す平面図である（一部図示省略）。ただし、この外カバー２０は、特記する場合を除いて、任意の形状、方法、及び材質で製造することができる。
【００４０】
実施の形態では、図２、図５に示すように、外カバー２０には、第１リブ１１１から第８リブ１１８、挿通孔１２０、及びガード部１３０が設けられている。なお、以下では、これら第１リブ１１１から第８リブ１１８を特に区別する必要のないときは、単に「リブ１１０」と総称する。
【００４１】
（構成−外カバーの構成の詳細−リブ）
第１リブ１１１から第８リブ１１８は、流入空間４０を仕切るためのものである。これら第１リブ１１１から第８リブ１１８は、略板状体にて形成され、図５に示すように、外カバー２０の天面部２２と内カバー３０の下側側部の相互間において略垂直に設けられており、外カバー本体２１又は天面部２２に対して接続されている。
【００４２】
また、第１リブ１１１から第８リブ１１８の具体的な構成については、実施の形態では、第１リブ１１１から第８リブ１１８によって天面部２２と内カバー３０との相互間の隙間が仕切られることで、複数の流入空間が形成されるように、第１リブ１１１から第８リブ１１８が構成されている。
【００４３】
具体的には、まず、第１リブ１１１から第８リブ１１８の形状及び大きさについては、以下の通りに設定している。すなわち、図５に示すように、第１リブ１１１から第８リブ１１８の形状については、長方形状に設定している。また、第１リブ１１１から第８リブ１１８の幅（水平方向の長さ）については、天面部２２の半径と略同一の長さ又は若干短い長さに設定している。また、第１リブ１１１から第８リブ１１８の高さ（上下方向の長さ）については、流入空間４０の上下方向の長さと略同一又はそれよりも短く設定している。
【００４４】
また、第１リブ１１１から第８リブ１１８の設置方法については、第１リブ１１１から第８リブ１１８を、内カバー３０の中心側から外側に向けて放射状に設置（配置）している。より具体的には、図５に示すように、第１リブ１１１から第４リブ１１４を、十字状に配置している。より詳細については、第１リブ１１１及び第３リブ１１３を前後方向に沿うように並設し、且つ相互に当接するように配置していると共に、第２リブ１１２及び第４リブ１１４を前後方向に沿うように並設し、且つ第１リブ１１１と第３リブ１１３との境界部と当接するように配置している。また、第５リブ１１５から第８リブ１１８を、第１リブ１１１から第４リブ１１４同士の相互間にそれぞれ配置している。より詳細については、第５リブ１１５を第１リブ１１１と第２リブ１１２との相互間に配置し、第６リブ１１６を第２リブ１１２と第３リブ１１３との相互間に配置し、第７リブ１１７を第３リブ１１３と第４リブ１１４との相互間に配置し、第８リブ１１８を第１リブ１１１と第４リブ１１４との相互間に配置している。このような設置方法により、流入空間４０を８つに仕切ることができ、且つこれら流入空間を放射状に形成できるので、外カバー２０に流入する気体の方向依存性を低減できる。
【００４５】
（構成−外カバーの構成の詳細−挿通孔）
図２に戻り、挿通孔１２０は、熱感知部１０１の一部を火災検出装置１の外部に露出させると共に、表示部からの表示光を火災検出装置１の外部に照射するための貫通孔である。
【００４６】
ここで、挿通孔１２０の具体的な形状及び大きさについては任意であるが、実施の形態では、挿通孔１２０の平面形状については、図５に示すように、略楕円形状に設定している（あるいは、四角形状等の多角形状であってよい）。また、挿通孔１２０の径については、熱感知部１０１の一部のみを外部に露出させることができ、且つ表示光を火災検出装置１の外部に照射することが可能な大きさに設定しており、例えば、熱感知部１０１の径とライトガイドの径とを加算した長さよりも長く設定している。
【００４７】
（構成−外カバーの構成の詳細−ガード部）
図１に戻り、ガード部１３０は、熱感知手段を保護するためのガード手段であり、図１から図４に示すように、第１ガード側リブ１３１、第２ガード側リブ１３２、第３ガード側リブ１３３、第４ガード側リブ１３４、及びガード側連結部１３５を備えている。
【００４８】
このうち、第１ガード側リブ１３１、第２ガード側リブ１３２、第３ガード側リブ１３３、及び第４ガード側リブ１３４は、ガード部１３０の基本構造体である。これら第１ガード側リブ１３１、第２ガード側リブ１３２、第３ガード側リブ１３３、及び第４ガード側リブ１３４は、長尺な板状体にて形成されており、図１から図４に示すように、熱感知部１０１における火災検出装置１の外部に露出する部分及び挿通孔１２０の周囲を覆うように設けられている。具体的には、第１ガード側リブ１３１、第２ガード側リブ１３２、第３ガード側リブ１３３、及び第４ガード側リブ１３４の各々の長手方向が上下方向に略沿うように設けられている（図４では、若干傾斜して設けられている）と共に、天面部２２の下面に対して立設されている。
【００４９】
また、ガード側連結部１３５は、第１ガード側リブ１３１、第２ガード側リブ１３２、第３ガード側リブ１３３、及び第４ガード側リブ１３４を連結するための連結手段である。このガード側連結部１３５は、例えば、外カバー２０と同一の材料にて形成されており、図１から図４に示すように、第１ガード側リブ１３１、第２ガード側リブ１３２、第３ガード側リブ１３３、及び第４ガード側リブ１３４の上端部の近傍部分に対して接続されている。
【００５０】
（構成−取付構造）
次に、内カバー３０及び外カバー２０の取付構造について説明する。図６は、内カバー３０を示す図であり、（ａ）は底面図、（ｂ）は側面図である。火災検出装置１は、内カバー３０及び外カバー２０の取付性を高めるための取付構造を備えており、この取付構造の特徴については、実施の形態では、以下に示す通りとなる。
【００５１】
（構成−取付構造−第１の特徴）
まず、取付構造の第１の特徴については、火災検出装置１が、位置合わせ部１４０を備えている。位置合わせ部１４０は、内カバー３０と外カバー２０とを相互に取り付ける際に、内カバー３０と外カバー２０との相対的な位置を所定位置に合わせるための位置合わせ手段であり、図３から図６に示すように、突起部１５０及び嵌込部１６０を備えている。
【００５２】
（構成−取付構造−第１の特徴−突起部）
突起部１５０は、嵌込部１６０に嵌め込まれるものである。この突起部１５０は、中空状体にて形成され、内カバー３０又は外カバー２０のいずれか一方に設けられている。具体的には、図６に示すように、内カバー３０の設置面２側とは反対側の側部（図６では、下側側部）から外部に向けて突出するように配置され、内カバー３０に対して接続されている。
【００５３】
また、突起部１５０の具体的な形状及び大きさについては任意であるが、実施の形態では以下の通りに設定している。すなわち、突起部１５０の外形形状については、図６に示すように、略柱状に設定している。また、突起部１５０の左右方向の長さについては、図６に示すように、内カバー３０の半径よりも短く設定している。また、突起部１５０の前後方向の長さについては、図６に示すように、内カバー３０の半径よりも短く設定している。また、突起部１５０の上下方向の長さについては、図３に示すように、流入空間４０の上下方向の長さと略同一に設定している。
【００５４】
（構成−取付構造−第１の特徴−嵌込部）
図５に戻り、嵌込部１６０は、突起部１５０を嵌め込むためのものであり、図５に示すように、第１嵌込部１６１及び第２嵌込部１６２を備えている。
【００５５】
（構成−取付構造−第１の特徴−嵌込部−第１嵌込部）
第１嵌込部１６１は、突起部１５０の一部（具体的には、突起部１５０の側部）を嵌め込むためのものである。この第１嵌込部１６１は、内カバー３０又は外カバー２０のいずれか他方の一部を切り欠いた切欠部として構成されており、具体的には、図５に示すように、外カバー２０のリブ１１０のいずれか１つ（図５では、第４リブ１１４）に設けられている。
【００５６】
また、第１嵌込部１６１の具体的な形状及び大きさについては、突起部１５０の側部を嵌め込むことができる限り任意に設定することができるが、実施の形態では、以下の通りに設定している。すなわち、第１嵌込部１６１の形状については、図５に示すように、略矩形状に設定している。また、第１嵌込部１６１の左右方向の長さについては、突起部１５０の左右方向の長さと略同一に設定している。また、第１嵌込部１６１の上下方向の長さについては、突起部１５０の上下方向の長さと略同一に設定している。
【００５７】
このような第１嵌込部１６１が設けられる場合において、突起部１５０の具体的な構成については任意であるが、例えば、図６に示すように、突起部１５０にガイド部１５１が設けられてもよい。ガイド部１５１は、突起部１５０を第１嵌込部１６１に嵌め込む際に突起部１５０をガイドするためのガイド手段である。このガイド部１５１は、溝状に形成されており、具体的には、突起部１５０における第４リブ１１４と対向する端部（図６では、突起部１５０の左右方向の外側の端部）の上下方向の略全長にわたって形成されている。このようなガイド部１５１により、突起部１５０を第１嵌込部１６１に嵌め込みやすくなるため、内カバー３０と外カバー２０との位置合わせを行いやすくなる。
【００５８】
（構成−取付構造−第１の特徴−嵌込部−第２嵌込部）
図５に戻り、第２嵌込部１６２は、突起部１５０の他の一部（具体的には、突起部１５０の上端部）を嵌め込むためのものである。この第２嵌込部１６２は、内カバー３０又は外カバー２０のいずれか他方の一部を切り欠いた切欠部として構成されている。具体的には、図５に示すように、外カバー２０（具体的には、天面部２２）の挿通孔１２０と一体形成されており、外カバー２０の天面部２２のうち突起部１５０と対向する部分に配置されている。
【００５９】
また、第２嵌込部１６２の具体的な形状及び大きさについては、突起部１５０を嵌め込むことができる限り任意に設定することができるが、実施の形態では、図５に示すように、第２嵌込部１６２の平面形状については、突起部１５０の平面形状と略同一に設定している。また、第２嵌込部１６２の径については、突起部１５０の上端部の径と略同一に設定している。
【００６０】
（構成−取付構造−第１の特徴−その他の構成）
また、突起部１５０及び嵌込部１６０の形成方法については任意であるが、実施の形態では、突起部１５０又は嵌込部１６０を内カバー３０又は外カバー２０と一体形成している。具体的には、図６に示すように、突起部１５０を内カバー３０と一体形成している。また、図５に示すように、嵌込部１６０（第１嵌込部１６１及び第２嵌込部１６２）を外カバー２０と一体形成している。これにより、突起部１５０及び嵌込部１６０の各々を内カバー３０及び外カバー２０とは別体に形成した場合に比べて、突起部１５０又は嵌込部１６０を取り付ける手間を低減でき、位置合わせ部１４０を形成しやすくなる。
【００６１】
このような第１の特徴により、位置合わせ部１４０を設けない場合に比べて、火災検出装置１の組み立てる際に内カバー３０と外カバー２０との位置合わせを容易且つ迅速に行うことができ、火災検出装置１の製造性を高めることができる。また、火災検出装置１を組み立てる際に内カバー３０又は外カバー２０と他の部品（例えば、熱感知部１０１等）との接触を回避しやすくなるため、当該他の部品の損傷を防止できる。また、位置合わせ部１４０が突起部１５０及び嵌込部１６０を備えているので、位置合わせ部１４０の構成を簡易にでき、位置合わせ部１４０を形成しやすくなる。
【００６２】
（構成−取付構造−第２の特徴）
図３に戻り、まず、取付構造の第２の特徴については、突起部１５０又は嵌込部１６０は、内カバー３０と外カバー２０との相互間の隙間（すなわち、流入空間４０）を仕切るリブ１１０の少なくとも一部として構成されている。
【００６３】
具体的には、図３から図６に示すように、突起部１５０のみが、リブ１１０の一部として構成されている。より具体的には、上述したように、突起部１５０の左右方向の長さが内カバー３０の半径よりも短く設定され、且つ突起部１５０の上下方向の長さが流入空間４０の上下方向の長さと略同一に設定されている。また、第１嵌込部１６１は第４リブ１１４に設けられていると共に、第１嵌込部１６１の左右方向の長さが突起部１５０の左右方向の長さと略同一に設定され、且つ第１嵌込部１６１の上下方向の長さが突起部１５０の上下方向の長さと略同一に設定されている。さらに、第２嵌込部１６２は、天面部２２のうち第１嵌込部１６１に対向する部分に設けられている。
【００６４】
このような第２の特徴により、突起部１５０又は嵌込部１６０とリブ１１０とをそれぞれ設ける場合に比べて、内カバー３０又は外カバー２０の構成が複雑化することを回避でき、火災検出装置１の製造性を高めやすくなると共に、火災検出装置１のコンパクト化を図りやすくなる。
【００６５】
（構成−取付構造−第３の特徴）
まず、取付構造の第３の特徴については、位置合わせ部１４０は、内カバー３０の内部に設けられた表示部から照射された光を外カバー２０の外部に向けて導光可能となるように構成されている。
【００６６】
具体的には、図６に示すように、突起部１５０の形状については、上端及び下端の各々が挿通孔３１及び挿通孔３２として開放された筒状体にて設定されている。また、突起部１５０の設置方法については、突起部１５０の上端が内カバー３０の挿通孔３１及び挿通孔３２に対向し、且つ突起部１５０の下端が天面部２２の挿通孔１２０（第２嵌込部１６２）に対向するように設置している。
【００６７】
このような第３の特徴により、位置合わせ部１４０をライトガイドとして機能させることができ、位置合わせ部１４０とライトガイドとをそれぞれ設ける場合に比べて、内カバー３０又は外カバー２０の構成が複雑化することを回避できる。
【００６８】
（火災検出装置の組立方法）
このように構成された火災検出装置１の組立方法について説明する。
【００６９】
まず、検出部カバー７０及び検出部本体８０を基板１００に対して取り付けた後に、基板１００を下カバー９０に対して取り付ける。次に、防虫網５０を内カバー３０に取り付けた後に、下カバー９０と内カバー３０とを相互に取り付ける。そして、内カバー３０と外カバー２０とを相互に取り付ける。具体的には、内カバー３０の突起部１５０が外カバー２０の第１嵌込部１６１及び第２嵌込部１６２に嵌め込まれるように内カバー３０を外カバー２０に収容した後に、内カバー３０と外カバー２０とを相互に接続するので、内カバー３０と外カバー２０との相対的な位置を所定位置に容易且つ迅速に合わせることができる。これにて、火災検出装置１の組立を終了する。
【００７０】
このような組立方法により、位置合わせ部１４０を設けない場合に比べて、火災検出装置１を組み立てる際に内カバー３０と外カバー２０との位置合わせを容易且つ迅速に行うことができ、火災検出装置１の製造性を高めることができる。また、火災検出装置１を組み立てる際に内カバー３０又は外カバー２０と他の部品（例えば、熱感知部１０１等）との接触を回避しやすくなるため、当該他の部品の損傷を防止できる。
【００７１】
（実施の形態の効果）
このように実施の形態によれば、内カバー３０と外カバー２０とを相互に取り付ける際に、内カバー３０と外カバー２０との相対的な位置を所定位置に合わせるための位置合わせ部１４０を備えたので、位置合わせ部１４０を設けない場合に比べて、火災検出装置１を組み立てる際に内カバー３０と外カバー２０との位置合わせを容易且つ迅速に行うことができ、火災検出装置１の製造性を高めることができる。また、火災検出装置１を組み立てる際に内カバー３０又は外カバー２０と他の部品（例えば、熱感知部１０１等）との接触を回避しやすくなるため、当該他の部品の損傷を防止できる。
【００７２】
また、位置合わせ部１４０が、内カバー３０又は外カバー２０のいずれか一方に設けられた突起部１５０と、内カバー３０又は外カバー２０のいずれか他方に設けられた嵌込部１６０であって、突起部１５０を嵌め込み可能な嵌込部１６０と、を備えるので、位置合わせ部１４０の構成を簡易にでき、位置合わせ部１４０を形成しやすくなる。
【００７３】
また、突起部１５０又は嵌込部１６０を、内カバー３０と外カバー２０との相互間の隙間を仕切るリブ１１０の少なくとも一部として構成したので、突起部１５０又は嵌込部１６０とリブ１１０とをそれぞれ設ける場合に比べて、内カバー３０又は外カバー２０の構成が複雑化することを回避でき、火災検出装置１の製造性を高めやすくなると共に、火災検出装置１のコンパクト化を図りやすくなる。
【００７４】
また、突起部１５０又は嵌込部１６０を、内カバー３０又は外カバー２０と一体形成したので、突起部１５０及び嵌込部１６０の各々を内カバー３０及び外カバー２０とは別体に形成した場合に比べて、突起部１５０又は嵌込部１６０を取り付ける手間を低減でき、位置合わせ部１４０を形成しやすくなる。
【００７５】
また、位置合わせ部１４０を、内カバー３０の内部に設けられた表示部から照射された光を外カバー２０の外部に向けて導光可能となるように構成したので、位置合わせ部１４０をライトガイドとして機能させることができ、位置合わせ部１４０とライトガイドとをそれぞれ設ける場合に比べて、内カバー３０又は外カバー２０の構成が複雑化することを回避できる。
【００７６】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７８】
（火災検出装置の適用対象）
上記実施の形態では、火災検出装置１が、熱学的且つ光学的な火災感知器であると説明したが、これに限らず、例えば、光学的な火災感知器であってもよい。この場合には、熱感知部１０１、ガード部１３０、及び第２嵌合部を省略できる。
【００７９】
（リブについて）
上記実施の形態では、リブ１１０の設置数が８つであると説明したが、これに限らず、例えば、８つ未満であってもよく、あるいは、９つ以上であってもよい。
【００８０】
（取付構造について）
上記実施の形態では、取付構造が、１つの位置合わせ部１４０（具体的には、導光可能な位置合わせ部１４０）を備えていると説明したが、これに限らず、例えば、複数の位置合わせ部１４０を備えてもよい。この場合には、複数の位置合わせ部１４０の各々に対応する表示部が基板に設けられてもよい。
【００８１】
また、上記実施の形態では、突起部１５０が内カバー３０に設けられ、嵌込部１６０が外カバー２０に設けられていると説明したが、これに限らず、例えば、突起部１５０が外カバー２０に設けられ、嵌込部１６０が内カバー３０に設けられてもよい。
【００８２】
また、上記実施の形態では、突起部１５０が、リブ１１０の一部として構成されていると説明したが、これに限らない。例えば、リブ１１０全体として構成されてもよい。あるいは、リブ１１０以外の部材として構成されてもよい（一例として、単に突起部１５０として構成されてもよい）。
【００８３】
また、上記実施の形態では、位置合わせ部１４０が、表示部から照射された光を外カバー２０の外部に向けて導光可能となるように構成されていると説明したが、これに限らず、例えば、表示部から照射された光を外カバー２０の外部に向けて導光できないように構成されてもよい。また、このような位置合わせ部１４０（具体的には、導光できない位置合わせ部１４０）が複数設けられてもよい。
【００８４】
また、上記実施の形態では、突起部１５０が内カバー３０と一体形成され、嵌込部１６０が外側カバーと一体形成されていると説明したが、これに限らない。例えば、突起部１５０又は嵌込部１６０が、突起部１５０又は嵌込部１６０とは別体で形成されてもよい。
【００８５】
（突起部について）
上記実施の形態では、突起部１５０が、円筒状又は中空状であると説明したが、これに限らない。例えば、板状や棒状の如き中実状であってもよい。
【００８６】
上記実施の形態では、嵌込部１６０が、第１嵌込部１６１及び第２嵌込部１６２を備えていると説明したが、これに限らず、例えば、第１嵌込部１６１又は第２嵌込部１６２のいずれか一方のみを備えてもよい。
【００８７】
（嵌込部について）
上記実施の形態では、嵌込部１６０（第１嵌込部１６１、第２嵌込部１６２）が、切欠部であると説明したが、これに限らない。例えば、筒状又は環状であってもよい。この場合には、嵌込部１６０が、リブ１１０の少なくとも一部として構成されてもよい。
【００８８】
上記実施の形態では、第２嵌込部１６２が、天面部２２の挿通孔１２０と一体形成されていると説明したが、これに限らず、例えば、天面部２２の挿通孔１２０とは別体に形成されてもよい。
【００８９】
（付記）
付記１の火災検出装置は、監視領域の火災を検出するための火災検出装置であって、検出対象の検出を行う検出空間と、前記検出空間を収容する内側収容手段であって、前記検出対象を含む気体を当該内側収容手段に流入出させることが可能な内側収容手段と、前記内側収容手段を収容する外側収容手段であって、前記気体を当該外側収容手段に流入出させることが可能な外側収容手段と、前記内側収容手段と前記外側収容手段とを相互に取り付ける際に、前記内側収容手段と前記外側収容手段との相対的な位置を所定位置に合わせるための位置合わせ手段と、を備えた。
【００９０】
また、付記２の火災検出装置は、付記１に記載の火災検出装置において、前記位置合わせ手段は、前記内側収容手段又は前記外側収容手段のいずれか一方に設けられた突起部と、前記内側収容手段又は前記外側収容手段のいずれか他方に設けられた嵌込部であって、前記突起部を嵌め込み可能な嵌込部と、を備える。
【００９１】
また、付記３の火災検出装置は、付記２に記載の火災検出装置において、前記突起部又は前記嵌込部を、前記内側収容手段と前記外側収容手段との相互間の隙間を仕切るリブの少なくとも一部として構成した。
【００９２】
また、付記４の火災検出装置は、付記２又は３に記載の火災検出装置において、前記突起部又は前記嵌込部を、前記内側収容手段又は前記外側収容手段と一体形成した。
【００９３】
また、付記５の火災検出装置は、付記１から４のいずれか一項に記載の火災検出装置において、前記位置合わせ手段を、前記内側収容手段の内部に設けられた表示手段から照射された光を前記外側収容手段の外部に向けて導光可能となるように構成した。
【００９４】
（付記の効果）
付記１に記載の火災検出装置によれば、内側収容手段と外側収容手段とを相互に取り付ける際に、内側収容手段と外側収容手段との相対的な位置を所定位置に合わせるための位置合わせ手段を備えたので、位置合わせ手段を設けない場合に比べて、火災検出装置を組み立てる際に内側収容手段と外側収容手段との位置合わせを容易且つ迅速に行うことができ、火災検出装置の製造性を高めることができる。また、火災検出装置を組み立てる際に内側収容手段又は外側収容手段と他の部品（例えば、熱感知部等）との接触を回避しやすくなるため、当該他の部品の損傷を防止できる。
【００９５】
付記２に記載の火災検出装置によれば、位置合わせ手段が、内側収容手段又は外側収容手段のいずれか一方に設けられた突起部と、内側収容手段又は外側収容手段のいずれか他方に設けられた嵌込部であって、突起部を嵌め込み可能な嵌込部と、を備えるので、位置合わせ手段の構成を簡易にでき、位置合わせ手段を形成しやすくなる。
【００９６】
付記３に記載の火災検出装置によれば、突起部又は嵌込部を、内側収容手段と外側収容手段との相互間の隙間を仕切るリブの少なくとも一部として構成したので、突起部又は嵌込部とリブとをそれぞれ設ける場合に比べて、内側収容手段又は外側収容手段の構成が複雑化することを回避でき、火災検出装置の製造性を高めやすくなると共に、火災検出装置のコンパクト化を図りやすくなる。
【００９７】
付記４に記載の火災検出装置によれば、突起部又は嵌込部を、内側収容手段又は外側収容手段と一体形成したので、突起部及び嵌込部の各々を内側収容手段及び外側収容手段とは別体に形成した場合に比べて、突起部又は嵌込部を取り付ける手間を低減でき、位置合わせ手段を形成しやすくなる。
【００９８】
付記５に記載の火災検出装置によれば、位置合わせ手段を、内側収容手段の内部に設けられた表示手段から照射された光を外側収容手段の外部に向けて導光可能となるように構成したので、位置合わせ手段をライトガイドとして機能させることができ、位置合わせ手段とライトガイドとをそれぞれ設ける場合に比べて、内側収容手段又は外側収容手段の構成が複雑化することを回避できる。
【符号の説明】
【００９９】
１  火災検出装置
２  設置面
１０  取付ベース
２０  外カバー
２１  外カバー本体
２２  天面部
３０  内カバー
３０ａ  第１開口部
３１  挿通孔
３２  挿通孔
４０  流入空間
５０  防虫網
６０  検出空間
７０  検出部カバー
７０ａ  第２開口部
８０  検出部本体
９０  下カバー
９１  取付部材
１００  基板
１０１  熱感知部
１１０  リブ
１１１  第１リブ
１１２  第２リブ
１１３  第３リブ
１１４  第４リブ
１１５  第５リブ
１１６  第６リブ
１１７  第７リブ
１１８  第８リブ
１２０  挿通孔
１３０  ガード部
１３１  第１ガード側リブ
１３２  第２ガード側リブ
１３３  第３ガード側リブ
１３４  第４ガード側リブ
１３５  ガード側連結部
１４０  位置合わせ部
１５０  突起部
１５１  ガイド部
１６０  嵌込部
１６１  第１嵌込部
１６２  第２嵌込部
【図１】
2020102036.tif 000003
【図２】
2020102036.tif 000004
【図３】
2020102036.tif 000005
【図４】
2020102036.tif 000006
【図５】
2020102036.tif 000007
【図６】
2020102036.tif 000008